(57)【特許請求の範囲】
【請求項１】
処理を実行する処理部に対する電源からの電力の供給および停止を制御する第１制御部と、
前記電源からの電力が供給される電源線と前記第１制御部との間を導通状態および非導通状態のうちの何れかに切り替える切替部と、
前記第１制御部が、前記処理部に対する前記電源からの電力の供給を停止した場合は、前記非導通状態になるように前記切替部を制御する一方、前記非導通状態において、前記導通状態に復帰する要因を示す復帰要因が入力された場合は、前記導通状態になるように前記切替部を制御する第２制御部と、を備え、
前記非導通状態から前記導通状態に移行して前記第１制御部が正常に起動した場合、前記第１制御部は、前記第１制御部の状態を示す状態信号の値を、正常に起動したことを示す第１の値に設定し、
前記第２制御部は、前記状態信号が前記第１の値に設定されて、前記第１制御部が、前記処理部に対する前記電源からの電力の供給を停止しない場合は、前記第１制御部に対する前記電源からの電力の供給を停止することを要求する停止信号の入力があったとしても、前記停止信号の入力が所定の条件を満たさない限り、前記導通状態を維持する、
制御装置。
【請求項２】
前記第２制御部は、前記導通状態になるように前記切替部を制御した後、前記状態信号の値が前記第１の値とは異なる値に設定された状態で、前記停止信号が入力された場合は、前記非導通状態になるように前記切替部を制御する、
請求項１の制御装置。
【請求項３】
前記第１制御部は、正常に起動した後に異常が発生した場合は、前記状態信号の値を、前記第１の値とは異なる値に設定する、
請求項２の制御装置。
【請求項４】
前記第２制御部は、前記状態信号が前記第１の値に設定された状態で、前記停止信号の入力が一定期間にわたって継続した場合は、前記非導通状態になるように前記切替部を制御し、前記停止信号の入力が前記一定期間にわたって継続しない場合は、前記第１制御部が前記電源からの電力の供給を停止しない限り、前記導通状態を維持する、
請求項１の制御装置。
【請求項５】
前記切替部の現在の制御状態が、前記導通状態および前記非導通状態のうちの何れであるかを示す制御情報を記憶する記憶部をさらに備え、
前記第２制御部に対する前記電源からの電力の供給が停止した後に、前記第２制御部に対する電力の供給が再開された場合、前記第２制御部は、前記制御情報に従って前記切替部を制御する、
請求項１の制御装置。
【請求項６】
前記処理部は、媒体上に画像を形成する画像形成部を含む、
請求項１の制御装置。
【請求項７】
請求項１乃至６のうちの何れか一項に記載の制御装置を備える電子機器。
【発明の詳細な説明】
【技術分野】
【０００１】
本発明は、制御装置および電子機器に関する。
【背景技術】
【０００２】
従来、電子機器の消費電力を低減するための様々な技術が知られている。例えば特許文献１には、印刷などの処理を実行可能な通常モードと、印刷などの処理は行われず、通常モードよりも消費電力の小さい省エネモードとを有する画像形成システムが開示されている。特許文献１の画像形成システムは、通常モードから省エネモードへの移行、および、省エネモードから通常モードへの復帰を制御する電源制御部を備えている。
【０００３】
特許文献１の電源制御部は、通常モードにおいて、主電源スイッチが押されたことを検出すると、メインコントローラ、エンジン部、スキャナ部の各々に対する電源からの電力の供給を停止する制御を行うことで、省エネモードへ移行させる。一方、特許文献１の電源制御部は、省エネモードにおいて、複数の復帰条件のうちの何れかが成立すると、メインコントローラ、エンジン部、スキャナ部の各々に対する電源からの電力の供給を再開することで、通常モードへ復帰させる。特許文献１の電源制御部は、複数の復帰条件のそれぞれについて、当該復帰条件が成立したか否かを示す情報や、システム全体が立ち上がったか否かを示す情報を含むパワーオンレジスタを管理し、最新の状態に合わせてパワーオンレジスタを更新する制御を行う（「レジスタ制御」と呼ぶ）。
【発明の概要】
【発明が解決しようとする課題】
【０００４】
ここで、省エネモードにおいては、電子機器（特許文献１では画像形成システム）の消費電力をできるだけ０Ｗに近づけることが理想であるが、通常モードへ復帰するためには、電源制御部に対する電力の供給は継続する必要がある。電力制御部の消費電力をできるだけ小さくするためには、電力制御部は最小限の機能のみを有する構成とすることが望ましい。しかしながら、特許文献１の電力制御部は、メインコントローラ、エンジン部、スキャナ部の各々に対する電源からの電力の供給の開始および停止を制御する機能の他にも、上述のレジスタ制御を行う機能を有するので、電源制御部の消費電力を十分に低減することはできない。
【０００５】
また、特許文献１の電力制御部は、省エネモードにおいて復帰条件が成立したときに、メインコントローラ、エンジン部、スキャナ部の各々に対する電源からの電力の供給を再開するので、復帰してから一定の期間は印刷などの処理が行われない場合であっても、復帰直後からエンジン部やスキャナ部に電力が供給される。これにより、無駄な消費電力が発生してしまう。
【０００６】
本発明は、上記に鑑みてなされたものであって、消費電力のさらなる低減を実現可能な制御装置および電子機器を提供することを目的とする。
【課題を解決するための手段】
【０００７】
上述した課題を解決し、目的を達成するために、本発明の制御装置は、処理を実行する処理部に対する電源からの電力の供給および停止を制御する第１制御部と、前記電源からの電力が供給される電源線と前記第１制御部との間を導通状態および非導通状態のうちの何れかに切り替える切替部と、前記第１制御部が、前記処理部に対する前記電源からの電力の供給を停止した場合は、前記非導通状態になるように前記切替部を制御する一方、前記非導通状態において、前記導通状態に復帰する要因を示す復帰要因が入力された場合は、前記導通状態になるように前記切替部を制御する第２制御部と、を備え、前記非導通状態から前記導通状態に移行して前記第１制御部が正常に起動した場合、前記第１制御部は、前記第１制御部の状態を示す状態信号の値を、正常に起動したことを示す第１の値に設定し、前記第２制御部は、前記状態信号が前記第１の値に設定されて、前記第１制御部が、前記処理部に対する前記電源からの電力の供給を停止しない場合は、前記第１制御部に対する前記電源からの電力の供給を停止することを要求する停止信号の入力があったとしても、前記停止信号の入力が所定の条件を満たさない限り、前記導通状態を維持する。
【０００８】
また、本発明の電子機器は、上述の制御装置を備える。
【発明の効果】
【０００９】
本発明によれば、消費電力のさらなる低減を実現可能な制御装置および電子機器を提供できるという有利な効果を奏する。
【図面の簡単な説明】
【００１０】
【図１】図１は、第１実施形態の画像形成装置の構成例を示すブロック図である。
【図２】図２は、メインコントローラが遷移可能な状態を示す図である。
【図３】図３は、メインコントローラの処理動作の手順の一例を示すシーケンス図である。
【図４】図４は、第２実施形態の画像形成装置の構成例を示すブロック図である。
【図５】図５は、メインコントローラの処理動作の手順の一例を示すシーケンス図である。
【図６】図６は、メインコントローラの処理動作の手順の一例を示すシーケンス図である。
【図７】図７は、メインコントローラの処理動作の手順の一例を示すシーケンス図である。
【図８】図８は、メインコントローラの処理動作の手順の一例を示すシーケンス図である。
【図９】図９は、低電力マイコンによる制御の真理値表を示す図である。
【図１０】図１０は、低電力マイコンの処理動作の一例を示すフローチャートである。
【発明を実施するための形態】
【００１１】
以下、添付図面を参照しながら、本発明に係る制御装置および電子機器の実施の形態を詳細に説明する。なお、以下の各実施形態では、電子機器として、媒体上に画像を形成する機能を有する画像形成装置を例に挙げて説明するが、これに限定されるものではなく、電子機器の種類は任意である。
【００１２】
＜Ａ：第１実施形態＞
図１は、本実施形態の画像形成装置１００の概略構成例を示す図である。図１に示すように、画像形成装置１００は、画像形成部１０と、電力供給部（PSU：Power  Supply  Unit）２０と、メインコントローラ３０と、主電源スイッチＳＷ４０と、照度検出部５０とを備える。
【００１３】
画像形成部１０は、メインコントローラ３０の制御の下、記録紙などの媒体上に画像を形成する。図１に示すように、画像形成部１０は、搬送系モータ１１と、ファン１２と、作像ユニット１３と、定着ユニット１４と、エンジン制御部１５とを含んで構成される。搬送系モータ１１は、搬送系の機器（例えば搬送用ローラ等）を駆動する。ファン１２は、機内の温度上昇を抑制するための手段である。作像ユニット１３は、感光体ドラム（不図示）に形成されたトナー画像（可視化された静電潜像）を記録紙などの媒体に転写する。定着ユニット１４は、トナー画像を記録紙などの媒体上に定着させる。定着ユニット１４は、温度センサ１６と、定着ヒータ１７とを含む。温度センサ１６は、定着ローラ（不図示）の温度を検出する。定着ヒータ１７は、定着ローラを加熱する。
【００１４】
エンジン制御部１５は、画像形成部１０による画像形成動作（印刷動作）を制御する。図１に示すように、エンジン制御部１５は、ＣＰＵ（Central  Processing  Unit）４１と、ＲＯＭ（Read  Only  Memory）４２と、ＲＡＭ(Random  Access  Memory)４３と、Ｉ／Ｆ部４４と、入出力回路４５とを含んで構成されるコンピュータである。ＣＰＵ４１は、ＲＯＭ４２等に格納された所定の制御プログラムを実行することにより、画像形成部１０の各部（搬送系モータ１１、ファン１２、作像ユニット１３、定着ユニット１４、エンジン制御部１５）を制御する。ＲＯＭ４２は、不揮発性の半導体メモリであり、制御プログラムや各種データを記憶する。ＲＡＭ４３は、ＲＯＭ４２に記憶された各種プログラムを実行する際に各種データを一時的に保持する揮発性の半導体メモリである。Ｉ／Ｆ部４４は、エンジン制御部１５をメインコントローラ３０に接続するための手段である。入出力回路４５は、搬送系モータ１１、ファン１２、作像ユニット１３および定着ユニット１４の各々との間で、信号の入出力処理を行う。
【００１５】
図１に示すように、電力供給部２０は、コンバータ２１と、スイッチＳＷ２１と、リレー１８とを含んで構成される。コンバータ２１は、商用電源（ＡＣ電源）から供給される交流電圧を、メインコントローラ３０や画像形成部１０で使用可能な直流電圧に変換する。スイッチＳＷ２１は、メインコントローラ３０および画像形成部１０の各々と、コンバータ２１との間に介在する。スイッチＳＷ２１は、メインコントローラ３０の制御に応じてオンオフが切り替わる。スイッチＳＷ２１がオンの場合、コンバータ２１からの電力は、メインコントローラ３０、エンジン制御部１５、搬送系モータ１１、ファン１２、および、作像ユニット１３の各々に供給される。一方、スイッチＳＷ２１がオフの場合、コンバータ２１からの電力は、メインコントローラ３０、エンジン制御部１５、搬送系モータ１１、ファン１２、および、作像ユニット１３の各々には供給されない。ここでは、コンバータ２１からの電力が、スイッチＳＷ２１を介してエンジン制御部１５およびメインコントローラ３０の各々へ供給される経路を「Ｃ電源系」と呼ぶ。
【００１６】
さらに、図１に示すように、商用電源からの電力がコンバータ２１を介さずに定着ユニット１４へ至る電源経路上には、リレー１８が配置される。リレー１８は、メインコントローラ３０の制御に応じてオンオフが切り替わる。リレー１８がオンの場合、商用電源からの電力が定着ユニット１４へ供給される。一方、リレー１８がオフの場合は、商用電源からの電力は定着ユニット１４に対して供給されない。
【００１７】
メインコントローラ３０は、画像形成装置１００全体を制御する手段である。図１に示すように、メインコントローラ３０は、ＣＰＵ５１と、ＲＯＭ５２と、ＲＡＭ５３と、制御ＩＣ５４と、省エネコントローラ５５と、Ｉ／Ｆ部５６と、スイッチＳＷ５１と、低電力マイコン５７と、タイマー５８とを含んで構成される。
【００１８】
ＣＰＵ５１は、ＲＯＭ５２等に格納された所定の制御プログラムを実行することにより、画像形成部１０、電力供給部２０、メインコントローラ３０を制御する。ＲＯＭ５２は、不揮発性の半導体メモリであり、制御プログラムや各種データを記憶する。ＲＡＭ５３は、ＲＯＭ５２に記憶された各種プログラムを実行する際に各種データを一時的に保持する揮発性の半導体メモリである。
【００１９】
制御ＩＣ５４は、ＣＰＵ５１、ＲＯＭ５２、省エネコントローラ５５、エンジン制御部１５のＩ／Ｆ部４４をそれぞれ接続するブリッジの役割を有する。なお、図１の例では、ＲＡＭ５３は、ＣＰＵ５１に接続される。
【００２０】
省エネコントローラ５５は、ＣＰＵ５１とは別のＣＰＵが搭載されたコンピュータであり、例えば画像形成装置１００の動作状態を省エネモードに設定する省エネ制御や、スイッチＳＷ２１およびリレー１８の各々のオンオフを個別に切り替えて、画像形成部１０を構成する各要素に対する電力の供給および停止を制御する主電源制御などを実行する。本実施形態における省エネモードとは、メインコントローラ３０のみに電力が供給される状態である。省エネモードにおいては、省エネコントローラ５５は、スイッチＳＷ２１およびリレー１８の各々がオフ状態となるように制御する。
【００２１】
Ｉ／Ｆ部５６は、メインコントローラ３０を外部の機器（例えばファクス機等）に接続するためのインタフェースである。
【００２２】
スイッチＳＷ５１は、コンバータ２１からの電力（見方を変えれば電源からの電力）が供給されるとともに画像形成部１０とは接続されない電源線１０１と、省エネコントローラ５５との間に配置される。スイッチＳＷ５１は、低電力マイコン５７の制御の下、電源線１０１と省エネコントローラ５５との間を導通状態および非導通状態のうちの何れかに切り替える。より具体的には、スイッチＳＷ５１がオンに設定されることで導通状態となり、電源線１０１から省エネコントローラ５５に至る電源経路が形成される。これにより、省エネコントローラ５５に対するコンバータ２１からの電力の供給が行われ、省エネコントローラは動作可能な状態となる。一方、スイッチＳＷ５１がオフに設定されることで非導通状態となり、電源線１０１から省エネコントローラ５５に至る電源経路は形成されない。これにより、省エネコントローラ５５に対するコンバータ２１からの電力の供給は行われず、省エネコントローラ５５は停止状態（動作不能な状態）となる。ここでは、コンバータ２１からの電力が、電源線１０１およびスイッチＳＷ５１を介して省エネコントローラ５５へ供給される電源経路を「Ｂ電源系」と呼ぶ。また、本実施形態では、電源線１０１は低電力マイコン５７に直接接続されるので、商用電源からの電力供給が停止されない限り、コンバータ２１からの電力は常に低電力マイコン５７へ供給される。コンバータ２１からの電力が、電源線１０１を介して低電力マイコン５７へ供給される電源経路を「Ａ電源系」と呼ぶ。
【００２３】
低電力マイコン５７は、省エネコントローラ５５が、スイッチＳＷ２１およびリレー１８の各々をオフに切り替えて、画像形成部１０に対する電力の供給を停止した場合は、非導通状態になるようにスイッチＳＷ５１を制御する。また、低電力マイコン５７は、非導通状態において、導通状態に復帰する要因を示す復帰要因が入力された場合、導通状態になるようにスイッチＳＷ５１を制御する。復帰要因は任意に設定可能であるが、本実施形態の復帰要因は、主電源スイッチＳＷ４０の押下操作による入力信号、タイマー５８により、省エネコントローラ５５に対する電力の供給を再開する再開時刻に到達したことが検知されたことを示す信号、照度検出部５０により、環境の照度が所定値を超えていることが検知されたことを示す信号のうちの何れかである。また、本実施形態では、低電力マイコン５７の状態として、「Ａ電源系」が形成されず、低電力マイコン５７に対する電力の供給が停止される「POWER-OFF」モードと、「Ａ電源系」が形成されるとともに、スイッチＳＷ５１の制御を行うことが可能な状態を示す「Active」モードと、「Ａ電源系」が形成されるとともに、「Active」モードよりも消費電力が小さい「Sleep」モードとがある。低電力マイコン５７の詳細な動作については後述する。
【００２４】
図２は、メインコントローラ３０が遷移可能な状態を示す図である。図２に示すように、メインコントローラ３０が遷移可能な状態としては、「POWER-ON」モード、「Shutdown」モード、および、「POWER-OFF」モードがある。「POWER-ON」モードは、スイッチＳＷ５１がオンに設定されて「Ｂ電源系」が形成される状態を示す。また、「Shutdown」モードは、スイッチＳＷ５１がオフに設定されて「Ｂ電源系」が形成されずに、「Ａ電源系」のみが形成される状態を示す。さらに、「POWER-OFF」モードは、例えば商用電源と、画像形成装置１００とを接続するためのコンセント（以下、「ＡＣコンセント」と呼ぶ）による接続が解除されて、低電力マイコン５７に対する電力の供給も停止された状態（「Ａ電源系」および「Ｂ電源系」が形成されない状態）を示す。
【００２５】
図１に戻って説明を続ける。タイマー５８は、時刻を計測する手段であり、例えば現在時刻をカウントするリアルタイムクロック機能を有する構成であってもよい。また、タイマー５８には、不図示の電池からの電力が常に供給されるので、非導通状態であっても、タイマー５８は動作し続けることができる。
【００２６】
本実施形態では、タイマー５８は、「POWER-ON」モードに移行する時刻に到達したことを検知した場合、「POWER-ON」モードに移行する時刻に到達したことを示す信号を低電力マイコン５７に通知する。「POWER-ON」モードに移行する時刻に到達したことを示す信号をタイマー５８から通知された低電力マイコン５７は、導通状態になるようにスイッチＳＷ５１を制御する。これにより、省エネコントローラ５５に対する電力の供給が開始されて省エネコントローラ５５は動作可能な状態となり、省エネコントローラによる主電源制御が行われる。
【００２７】
また、タイマー５８は、「Shutdown」モードに移行する時刻に到達したことを検知した場合、「Shutdown」モードに移行する時刻に到達したことを示す信号を省エネコントローラ５５に通知する。「Shutdown」モードに移行する時刻に到達したことを示す信号をタイマー５８から通知された省エネコントローラ５５は、ＳＷ２１およびリレー１８をオフに切り替えて、画像形成部１０に対する電力の供給を停止する制御（主電源制御の一例）を行い、その主電源制御を終了した後、画像形成部１０に対する電力の供給を停止したことを示すＯＦＦ信号を低電力マイコン５７へ通知する。省エネコントローラ５５からＯＦＦ信号を通知された低電力マイコン５７は、非導通状態になるようにスイッチＳＷ５１を制御する。
【００２８】
主電源スイッチＳＷ４０は、ユーザーの押下操作に応じて、省エネコントローラ５５に対する電力の供給の開始あるいは停止の契機となる入力信号を入力する。入力信号は、低電力マイコン５７および省エネコントローラ５５の各々に入力される。本実施形態では、導通状態（「POWER-ON」モード）において入力信号が入力された場合、省エネコントローラ５５は、ＳＷ２１およびリレー１８をオフに切り替えて、画像形成部１０に対する電力の供給を停止する制御を行い、その制御を終了した後、前述のＯＦＦ信号を低電力マイコン５７へ通知する。省エネコントローラ５５からＯＦＦ信号を通知された低電力マイコン５７は、非導通状態になるようにスイッチＳＷ５１を制御する。一方、非導通状態（「Shutdown」モード）において入力信号が入力された場合、低電力マイコン５７は、導通状態になるようにスイッチＳＷ５１を制御する。これにより、省エネコントローラ５５に対する電力の供給が開始されて省エネコントローラ５５は動作可能な状態となり、省エネコントローラによる主電源制御が行われる。
【００２９】
照度検出部５０は、環境の照度を検出する。例えば照度検出部６０は、受信した光を電気信号に変換するフォトダイオードなどの光センサと、当該光センサから出力される信号に基づいて照度を算出するマイコンなどの制御部とを含んで構成される。また、タイマー５８と同様、照度検出部５０には、不図示の電池からの電力が供給されるので、非導通状態であっても、照度検出部５０は動作し続けることができる。
【００３０】
本実施形態では、照度検出部５０は、環境の照度が所定値以下であると判断した場合は、環境の照度が所定値以下であることを示す信号を省エネコントローラ５５へ通知する。導通状態において、環境の照度が所定値以下であることを示す信号を照度検出部５０から通知された省エネコントローラ５５は、ＳＷ２１およびリレー１８をオフに切り替えて、画像形成部１０に対する電力の供給を停止する制御（主電源制御の一例）を行い、その主電源制御を終了した後、前述のＯＦＦ信号を低電力マイコン５７へ通知する。省エネコントローラ５５からＯＦＦ信号を通知された低電力マイコン５７は、非導通状態になるようにスイッチＳＷ５１を制御する。
【００３１】
また、本実施形態では、照度検出部５０は、環境の照度が所定値を超える場合は、環境の照度が所定値を越えることを示す信号を低電力マイコン５７へ通知する。非導通状態において、環境の照度が所定値を越えていることを示す信号を照度検出部５０から通知された低電力マイコン５７は、導通状態になるようにスイッチＳＷ５１を制御する。これにより、省エネコントローラ５５に対する電力の供給が開始されて省エネコントローラ５５は動作可能な状態となり、省エネコントローラによる主電源制御が行われる。
【００３２】
図３は、メインコントローラ３０の処理動作の手順の一例を示すシーケンス図である。説明の便宜上、図３の例では、「Ａ電源系」がオンに設定される場合（「Ａ電源系」が形成される場合）は、「Ａ電源系」の表示はハイレベルに設定される一方、「Ａ電源系」がオフに設定される場合（「Ａ電源系」が形成されない場合）は、「Ａ電源系」の表示はローレベルに設定される。「Ｂ電源系」および「Ｃ電源系」についても同様である。
【００３３】
また、図３の例では、主電源スイッチＳＷ４０の押下操作が行われる場合は、主電源スイッチＳＷ４０の表示はローレベルに設定される一方、主電源スイッチＳＷ４０の押下操作が行われない場合は、主電源スイッチＳＷ４０の表示はハイレベルに設定される。また、図３の例では、スイッチＳＷ５１がオンに設定される場合は、スイッチＳＷ５１の表示はハイレベルに設定される一方、スイッチＳＷ５１がオフに設定される場合は、スイッチＳＷ５１の表示はローレベルに設定される。スイッチＳＷ２１についても同様である。
【００３４】
さらに、図３の例では、低電力マイコン５７に対して省エネコントローラ５５からのＯＦＦ信号が通知される期間においては、ＯＦＦ信号の表示はハイレベルに設定される一方、低電力マイコン５７に対して省エネコントローラ５５からのＯＦＦ信号が通知されない期間においては、ＯＦＦ信号の表示はローレベルに設定される。以上を前提として、図３を参照しながら、メインコントローラ３０による処理動作の一例を説明する。
【００３５】
メインコントローラ３０が「POWER-OFF」モードの状態で、ＡＣコンセントによる接続が行われた場合（Ｓ１）、「Ａ電源系」がオンに遷移するので、「Shutdown」モードに移行する。この場合、低電力マイコン５７は、「POWER-OFF」モードから「Active」モードへ移行するが、スイッチＳＷ５１の制御を行わない期間が一定期間にわたって継続した後、「Sleep」モードへ移行する。
【００３６】
「Shutdown」モードに移行した後に、主電源スイッチＳＷ４０の押下操作が行われたとき（Ｓ２）、低電力マイコン５７には、主電源スイッチＳＷ４０の押下操作による入力信号が入力される。低電力マイコン５７は、入力信号の入力を検知すると（Ｓ３）、「Sleep」モードから「Active」モードへ移行し、導通状態になるようにスイッチＳＷ５１を制御する（Ｓ４）。これにより、「Ｂ電源系」がオンに遷移して（Ｓ５）、「Shutdown」モードから「POWER-ON」モードに移行するので、省エネコントローラ５５に対する電力の供給が開始されて省エネコントローラ５５は動作可能な状態となる。また、「Active」モードへ移行した低電力マイコン５７は、スイッチＳＷ５１の制御を行わない期間が一定期間にわたって継続した後、「Sleep」モードへ移行する。
【００３７】
次に、省エネコントローラ５５は主電源制御を行う。より具体的には、省エネコントローラ５５は、スイッチＳＷ２１をオンに切り替える（Ｓ６）。これにより、「Ｃ電源系」がオンに遷移する（Ｓ７）。この状態で、主電源スイッチＳＷ４０の押下操作が行われたとき（Ｓ８）、省エネコントローラ５５には、主電源スイッチＳＷ４０の押下操作による入力信号が入力される。省エネコントローラ５５は、入力信号の入力を検知すると（Ｓ９）、主電源制御を行う。より具体的には、省エネコントローラ５５は、スイッチＳＷ２１をオフに切り替える制御を行う（Ｓ１０）。これにより、「Ｃ電源系」がオフに遷移して（Ｓ１１）、画像形成部１０に対する電力の供給が停止される。
【００３８】
上述の主電源制御が終了すると、省エネコントローラ５５は、ＯＦＦ信号を低電力マイコン５７へ通知する（Ｓ１２）。低電力マイコン５７は、省エネコントローラ５５からのＯＦＦ信号を検知した場合（Ｓ１３）、「Sleep」モードから「Active」モードへ移行し、非導通状態になるようにスイッチＳＷ５１を制御する（Ｓ１４）。これにより、「Ｂ電源系」がオフに遷移して（Ｓ１５）、「POWER-ON」モードから「Shutdown」モードに移行する。
【００３９】
なお、図３の例では、状態移行のイベントとして、主電源スイッチＳＷ４０の押下操作による入力信号が入力される場合を例に挙げて説明したが、状態移行のイベントとして、照度検出部５０からの信号が入力される場合、および、タイマー５８からの信号が入力される場合も同様のシーケンスとなるので、ここでは、詳細な説明を省略する。
【００４０】
以上に説明したように、本実施形態では、低電力マイコン５７は、省エネコントローラ５５からＯＦＦ信号を通知された場合は、非導通状態になるようにスイッチＳＷ５１を制御する一方、非導通状態において復帰要因が入力された場合は、導通状態になるようにスイッチＳＷ５１を制御する。すなわち、低電力マイコン５７は、ＳＷ５１のオンオフを制御する機能のみを有し、前述のレジスタ制御を行う機能などは有していないので、従来例に比べて、低電力マイコン５７の消費電力をさらに低減することが可能になる。また、本実施形態では、非導通状態から導通状態に移行する場合は、画像形成部１０に対する電力の供給および停止を制御する省エネコントローラ５５のみが起動される。そして、省エネコントローラ５５は、例えば印刷の要求を受け付けるまでの間は、省エネモードに設定する省エネ制御を行うことができるので、無駄な消費電力が発生することを抑制できる。
【００４１】
＜Ｂ：第２実施形態＞
次に、第２実施形態について説明する。本実施形態では、非導通状態から導通状態に移行して省エネコントローラ５５が正常に起動した場合、省エネコントローラ５５は、省エネコントローラ５５の状態を示す状態信号の値を、正常に起動したことを示す第１の値に設定する。本実施形態では、状態信号の取り得る値は「１」または「０」の２値であり、省エネコントローラ５５が正常に起動した場合は、状態信号の値は「１」（第１の値）に設定され、省エネコントローラ５５が正常に起動していない場合は、状態信号の値は「０」に設定される。ただし、これに限らず、例えば状態信号の値が、省エネコントローラ５５の状態に応じて様々な値に設定される構成であってもよい。
【００４２】
なお、本実施形態では、省エネコントローラ５５により設定される状態信号の値は、省エネコントローラ５５と低電力マイコン５７との間でデータの入出力を行うための入出力ポートを介して、低電力マイコン５７に通知される。ただし、これに限らず、例えば省エネコントローラ５５と低電力マイコン５７とを接続する専用線が設けられ、当該専用線を介してウォッチドッグ信号（状態信号に相当）が低電力マイコン５７に通知される構成であってもよい。要するに、省エネコントローラ５５の状態を示す状態信号が低電力マイコン５７に通知される構成であればよく、その構成は任意に変更可能である。以下、具体的な内容を説明する。なお、上述の第１実施形態と共通する部分については、同一の符号を付して適宜に説明を省略する。図４は、本実施形態の画像形成装置２００の概略構成例を示す図である。
【００４３】
図５は、メインコントローラ３０の処理動作の手順の一例を示すシーケンス図である。以下、図５を参照しながら、メインコントローラ３０の処理動作の一例を説明する。図５のＳ２１〜Ｓ２５の内容は、図３のＳ１〜Ｓ５の内容と同様なので、詳細な説明は省略する。図５のＳ２５の後（非導通状態から導通状態に移行した後）、省エネコントローラ５５が、初期化処理を終了して正常に起動すると、省エネコントローラ５５は、状態信号の値を「１」に設定する（Ｓ２６）。図５のＳ２７〜Ｓ３６の内容は、図３のＳ６〜Ｓ１５の内容と同様である。低電力マイコン５７は、状態信号の値が「１」に設定されている間は、主電源スイッチＳＷ４０の押下操作により入力信号が入力されても、導通状態を維持するようにスイッチＳＷ５１を制御し、省エネコントローラ５５からのＯＦＦ信号を検知した場合（Ｓ３４）に、非導通状態になるようにスイッチＳＷ５１を制御する（Ｓ３５）。
【００４４】
次に、図６を参照しながら、非導通状態から導通状態に移行した後、省エネコントローラ５５が正常に起動することができなかった場合の処理動作を説明する。図６は、この場合のメインコントローラ３０の処理動作の一例を示すシーケンス図である。図６のＳ４１〜Ｓ４５の内容は、図３のＳ１〜Ｓ５の内容と同様なので、詳細な説明は省略する。Ｓ４５の後（非導通状態から導通状態に移行した後）、省エネコントローラ５５が正常に起動した場合は、状態信号の値は「１」に設定されるが、図６の例では、省エネコントローラ５５は正常に起動しないので、状態信号の値は「０」のままである。そして、この状態で、主電源スイッチＳＷ４０の押下操作が行われたとき（Ｓ４６）、省エネコントローラ５５および低電力マイコン５７の各々には、主電源スイッチＳＷ４０の押下操作による入力信号が入力される。この例では、当該入力信号は、省エネコントローラ５５に対する電力の供給を停止することを要求する停止信号であると捉えることができる。また、状態移行のイベントとして、主電源スイッチＳＷ４０の押下操作の代わりに、照度検出部５０からの信号が入力される場合、および、タイマー５８からの信号が入力される場合のそれぞれにおいては、環境の照度が所定値以下であることを示す照度検出部５０からの信号、および、「Shutdown」モードに移行する時刻に到達したことを示すタイマー５８からの信号が、停止信号となる。次に、低電力マイコン５７は、入力信号の入力を検知し（Ｓ４７）、かつ、状態信号の値が「０」であることを検知すると（Ｓ４８）、非導通状態になるようにスイッチＳＷ５１を制御する（Ｓ４９）。これにより、「Ｂ電源系」がオフに遷移して（Ｓ５０）、「POWER-ON」モードから「Shutdown」モードに移行する。
【００４５】
次に、図７を参照しながら、非導通状態から導通状態に移行して省エネコントローラ５５が正常に起動した後、省エネコントローラ５５に異常が発生した場合の処理動作を説明する。図７は、この場合のメインコントローラ３０による処理動作の一例を示すシーケンス図である。図７のＳ５１〜Ｓ５８の内容は、図５のＳ２１〜Ｓ２８の内容と同様なので、詳細な説明は省略する。図７の例では、非導通状態から導通状態に移行して省エネコントローラが正常に起動した後（図７のＳ５８の後）、省エネコントローラ５５に異常が発生する。異常を検知した省エネコントローラ５５は、状態信号の値を「１」から「０」に変更する（Ｓ５９）。その後、主電源スイッチＳＷ４０の押下操作が行われたとき（Ｓ６０）、省エネコントローラ５５および低電力マイコン５７の各々には、主電源スイッチＳＷ４０の押下操作による入力信号が入力される。低電力マイコン５７は、入力信号の入力を検知し（Ｓ６１）、かつ、状態信号の値が「０」であることを検知すると（Ｓ６２）、非導通状態になるようにスイッチＳＷ５１を制御する（Ｓ６３）。これにより、「Ｂ電源系」がオフに遷移する。また、省エネコントローラ５５に対する電力の供給が停止されるので、スイッチＳＷ２１およびリレー１８もオフに遷移して「Ｃ電源系」もオフに遷移する。したがって、「POWER-ON」モードから「Shutdown」モードに移行する。
【００４６】
次に、図８を参照しながら、非導通状態から導通状態に移行して省エネコントローラ５５が正常に起動した後、省エネコントローラ５５に異常が発生し、省エネコントローラ５５が、状態信号を「１」から「０」に変更できなかった場合の処理動作を説明する。図８は、この場合のメインコントローラ３０による処理動作の一例を示すシーケンス図である。図８のＳ７１〜Ｓ７８の内容は、図５のＳ２１〜Ｓ２８の内容と同様なので、詳細な説明は省略する。図８の例では、非導通状態から導通状態に移行して省エネコントローラが正常に起動した後（図８のＳ７８の後）、省エネコントローラ５５に異常が発生するが、省エネコントローラ５５は、状態信号の値を「１」から「０」に変更することができないので、状態信号の値は「１」のままとなる。その後、主電源スイッチＳＷ４０の押下操作が行われたとき（Ｓ７９）、省エネコントローラ５５および低電力マイコン５７の各々には、主電源スイッチＳＷ４０の押下操作による入力信号が入力される。低電力マイコン５７は、入力信号の入力を検知しても（Ｓ８０）、状態信号の値は「１」のままなので、導通状態を維持する。低電力マイコン５７は、入力信号の入力が一定期間にわたって継続したことを検知すると（Ｓ８１）、非導通状態になるようにスイッチＳＷ５１を制御する（Ｓ８２）。これにより、「Ｂ電源系」がオフに遷移する。また、省エネコントローラ５５に対する電力の供給が停止されるので、スイッチＳＷ２１およびリレー１８もオフに遷移して「Ｃ電源系」もオフに遷移する。したがって、「POWER-ON」モードから「Shutdown」モードに移行する。
【００４７】
図９は、低電力マイコン５７が、非導通状態になるようにスイッチＳＷ５１を制御する場合（スイッチＳＷ５１：ローレベル（Ｌ）に変化する場合）の真理値表を示す。図９の真理値表のうちの１段目は図５の例に対応し、２段目は図６および図７の例に対応し、３段目は図８の例に対応するという具合である。なお、低電力マイコン５７が、導通状態になるようにスイッチＳＷ５１を制御する場合（スイッチＳＷ５１：ハイレベル（Ｈ）に変化する場合）は、非導通状態において入力信号（復帰要因の一例）の入力を検知した場合である。
【００４８】
＜Ｃ：第３実施形態＞
次に、第３実施形態について説明する。本実施形態では、スイッチＳＷ５１の現在の制御状態が、導通状態および非導通状態のうちの何れであるかを示す制御情報を記憶する記憶部（不図示）をさらに備える。そして、例えば停電などにより「POWER-OFF」モードに移行した後に、ＡＣコンセントによる接続が行われて「Ａ電源系」がオンになった場合、低電力マイコン５７は、記憶部に記憶された制御情報に従ってスイッチＳＷ５１を制御する点で上述の各実施形態と相違する。以下、具体的な内容を説明する。なお、上述の各実施形態と共通する部分については、同一の符号を付して適宜に説明を省略する。
【００４９】
本実施形態では、低電力マイコン５７は、スイッチＳＷ５１の現在の制御状態が導通状態の場合は、state＿flag（制御情報）の値を「１」に設定して記憶部に書き込む一方、スイッチＳＷ５１の現在の制御状態が非導通状態の場合は、state＿flag（制御情報）の値を「０」に設定して書き込む。ただし、これに限らず、例えば低電力マイコン５７は、スイッチＳＷ５１の現在の制御状態が導通状態の場合は、state＿flagの値を「０」に設定して記憶部に書き込む一方、スイッチＳＷ５１の現在の制御状態が非導通状態の場合は、state＿flagの値を「１」に設定して書き込むこともできる。要するに、低電力マイコン５７は、スイッチＳＷ５１の現在の制御状態が導通状態の場合は、state＿flagの値を、導通状態であることを示す値に設定して記憶部に書き込む一方、スイッチＳＷ５１の現在の制御状態が非導通状態の場合は、state＿flagの値を、非導通状態であることを示す値に設定して記憶部に書き込むものであればよい。なお、state＿flagが書き込まれる記憶部は、低電力マイコン５７が備えていてもよいし、ＲＯＭ５２やＲＡＭ５３であってもよい。要するに、メインコントローラ３０が、state＿flagが書き込まれる記憶部を備える構成であればよい。
【００５０】
図１０は、ＡＣコンセントによる接続が行われて「Ａ電源系」がオンになった場合の低電力マイコン５７の処理動作の一例を示すフローチャートである。「Ａ電源系」がオンに遷移すると（低電力マイコン５７に対する電力の供給が開始されると）、図１０に示すように、まず低電力マイコン５７は、クロックの設定などの初期化処理を行う（ステップＳ１００）。次に、低電力マイコン５７は、不図示の記憶部に記憶されたstate＿flagを参照して、state＿flagの値が「１」であるか否かを判定する（ステップＳ１０１）。state＿flagの値が「１」ではないと判定した場合（ステップＳ１０１の結果：ＮＯ）、つまりは、state＿flagの値が「０」であると判定した場合、低電力マイコン５７は、非導通状態になるようにスイッチＳＷ５１を制御して処理を終了する。より具体的には、スイッチＳＷ５１をオフに切り替えて処理を終了する。一方、state＿flagの値が「１」であると判定した場合（ステップＳ１０１の結果：ＹＥＳ）、低電力マイコン５７は、導通状態になるようにスイッチＳＷ５１を制御して処理を終了する。より具体的には、スイッチＳＷ５１をオンに切り替えて処理を終了する。
【００５１】
以上に説明したように、本実施形態では、低電力マイコン５７は、現在のスイッチＳＷ５１の制御状態に応じた制御情報を記憶部に書き込み、低電力マイコン５７に対する電力の供給が停止された後に「Ａ電源系」がオンになった場合は、記憶部に記憶された制御情報に従ってスイッチＳＷ５１を制御する。これにより、例えば停電などが発生して、低電力マイコン５７に対する電力の供給が意図せずに停止された場合であっても、復旧後のスイッチＳＷ５１の制御状態を、停電の直前の制御状態に戻すことができるという利点がある。
【００５２】
＜Ｄ：変形例＞
以上、本発明の実施形態について説明したが、本発明は上述の各実施形態に限定されるものではなく、本発明の要旨を逸脱しない範囲内で種々の変形が可能である。例えば上述の各実施形態を任意に組み合わせることも可能である。
【００５３】
上述の各実施形態のメインコントローラ３０は、本発明の制御装置に対応し、上述の各実施形態の画像形成装置（１００、２００）は、本発明の電子機器に対応する。また、上述の各実施形態の省エネコントローラ５５は、請求項の「第１制御部」に対応し、上述の各実施形態の低電力マイコン５７は、請求項の「第２制御部」に対応する。
【００５４】
なお、上述の各実施形態のメインコントローラ３０で実行される制御プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００５５】
さらに、上述の各実施形態のメインコントローラ３０で実行される制御プログラムを、インターネット等のネットワークに接続されたコンピュータ上に格納し、ネットワーク経由でダウンロードさせることにより提供するように構成してもよい。また、上述の各実施形態のメインコントローラ３０で実行される制御プログラムをインターネット等のネットワーク経由で提供または配布するように構成してもよい。
【符号の説明】
【００５６】
１０  画像形成部
１１  搬送系モータ
１２  ファン
１３  作像ユニット
１４  定着ユニット
１５  エンジン制御部
１６  温度センサ
１７  定着ヒータ
１８  リレー
２０  サーバ装置
２１  コンバータ
３０  メインコントローラ
４４  Ｉ／Ｆ部
４５  入出力回路
５０  照度検出部
５５  省エネコントローラ
５６  Ｉ／Ｆ部
５７  低電力マイコン
５８  タイマー
６０  照度検出部
１００  画像形成装置
１０１  電源線
ＳＷ２１  スイッチ
ＳＷ４０  主電源スイッチ
ＳＷ５１  スイッチ
【先行技術文献】
【特許文献】
【００５７】
【特許文献１】特開平１１−１２６０００号公報
【図１】
0005990901.tif 000002
【図２】
0005990901.tif 000003
【図３】
0005990901.tif 000004
【図４】
0005990901.tif 000005
【図５】
0005990901.tif 000006
【図６】
0005990901.tif 000007
【図７】
0005990901.tif 000008
【図８】
0005990901.tif 000009
【図９】
0005990901.tif 000010
【図１０】
0005990901.tif 000011